(57)【要約】【課題】  専用のミキサーボトルを使用することなく、クラッシュアイスの大きさを選択することができるミキサーを提供する。【解決手段】  上記カッター台（２０）の両面にカッター（２１）を有するアタッチメント（１８）の第１，第２の取付軸部（Ａ，Ｂ）を選択的に装着可能にすると共に、取り付け後には高さが異なるようにする。上記カッター台（２０）がミキサーボトル（５）の傾斜内壁面（５ｃ）に対向していることにより、上記カッター台（２０）の高さに応じて上記カッター台（２０）と傾斜内壁面（５ｃ）との間隙（Ａ，Ｂ）が変化して、間隙（Ａ，Ｂ）を通過することで得られるクラッシュアイスの大きさを選択することができる。【選択図】              図２
2005168794.tif 000002
【特許請求の範囲】
【請求項１】
駆動源を有するミキサー本体と、前記ミキサー本体上に着脱自在に装着され且つ上方の直径が次第に大きくなるように傾斜する傾斜内壁面を有するミキサーボトルと、該ミキサーボトルの底部を貫通して前記ミキサーボトル内に突出し且つ前記ミキサーボトルが前記ミキサー本体上に装着されたとき前記駆動源に連動して回転駆動される回転軸と、前記ミキサーボトル内において前記回転軸に着脱自在に取り付けられたアタッチメントを備えるミキサーであって、
前記アタッチメントは、前記回転軸に着脱可能な第１，第２の取付軸部を軸線方向の両端部に有する支持軸と、前記支持軸の両端までの寸法が異なるようになる位置に設けられ且つ前記傾斜内壁面との間に間隙を有する円形のカッター台と、前記カッター台の両面にそれぞれ設けられたカッターを有することにより、前記第１の取り付け軸部を前記回転軸に取り付けたときの前記カッター台の高さ及び前記間隙の大きさが前記第２の取り付け軸部を前記回転軸に取り付けたときの前記カッター台の高さ及び前記間隙の大きさと異なることを特徴とするミキサー。
【発明の詳細な説明】
【技術分野】
【０００１】
本発明は、被調理物を切削撹拌するミキサーに関するものである。
【背景技術】
【０００２】
従来、ミキサーボトル内に種々の材料や液体を入れて切削撹拌するためにミキサーが使用されている。このミキサーのカッターで氷を砕いてかき氷（クラッシュアイス）にするものはあるが、氷の大きさを選んでクラッシュアイスを作れるものはなかった。また、クラッシュアイスを作るために、専用のミキサーボトルを必要としていた。
【発明の開示】
【発明が解決しようとする課題】
【０００３】
上述したように、従来の、ミキサーにおいては氷の大きさを選択できないので、ユーザの氷の使用目的に充分に対応することができないという問題があった。また、クラッシュアイスを作るための専用のミキサーボトルを必要としていたため、コストアップの要因となっていた。
【０００４】
本発明は、専用のミキサーボトルを使用することなく、且つクラッシュアイスの大きさを選択することができるミキサーを提供することを目的とするものである。
【課題を解決するための手段】
【０００５】
本発明は、上述事情に鑑みなされたものであって、請求項１に記載の発明は、駆動源を有するミキサー本体と、前記ミキサー本体上に着脱自在に装着され且つ上方の直径が次第に大きくなるように傾斜する傾斜内壁面を有するミキサーボトルと、該ミキサーボトルの底部を貫通して前記ミキサーボトル内に突出し且つ前記ミキサーボトルが前記ミキサー本体上に装着されたとき前記駆動源に連動して回転駆動される回転軸と、前記ミキサーボトル内において前記回転軸に着脱自在に取り付けられたアタッチメントを備えるミキサーであって、
前記アタッチメントは、前記回転軸に着脱可能な第１，第２の取付軸部を軸線方向の両端部に有する支持軸と、前記支持軸の両端までの寸法が異なるようになる位置に設けられ且つ前記傾斜内壁面との間に間隙を有する円形のカッター台と、前記カッター台の両面にそれぞれ設けられたカッターを有することにより、前記第１の取り付け軸部を前記回転軸に取り付けたときの前記カッター台の高さ及び前記間隙の大きさが前記第２の取り付け軸部を前記回転軸に取り付けたときの前記カッター台の高さ及び前記間隙の大きさと異なることを特徴としている。
【０００６】
このように構成された請求項１の発明では、ミキサーボトル内にはアタッチメントが着脱自在の回転軸を設けてあるので、この回転軸にアタッチメントの支軸に設けられている第１又は第２の取付軸部を装着させてアタッチメントを回転軸に選択的に着脱することができる。第１又は第２の取付軸部を選択して回転軸に装着することによって、アタッチメントのカッター台の高さが変化される。
【０００７】
前記カッター台の高さが変化することと、カッター台が対向しているミキサーボトルの傾斜内壁面が傾斜していることとにより、カッター台と傾斜内壁面との間隙Ａ，Ｂが変化する。これにより、間隙Ａ，Ｂを通過することで得られるクラッシュアイスの大きさを、一つのアタッチメントを用いてユーザの所望の大きさに選択することができる。また、専用のミキサーボトルを使用する必要がないので、クラッシュアイス製作のコストダウンを図ることができる。
【発明の効果】
【０００８】
請求項１に係わる発明によれば、ミキサーボトル内の回転軸にアタッチメントの第１又は第２の取付軸部を選択して装着させて、アタッチメントのカッター台とミキサーボトルの傾斜内壁面との間隙をＡ，Ｂに変化させたので、一つのアタッチメントを用いてこれを上下反転するだけで異なる大きさのクラッシュアイスを容易に得ることができる。また、専用のミキサーボトルを使用する必要がないので、クラッシュアイス製作のコストダウンを図ることができる。
【発明を実施するための最良の形態】
【０００９】
以下、本発明の実施例を図面に基づいて説明する。
【００１０】
図１において、１は材料及び液体等の被調理物を切削撹拌するためのミキサーの全体図を示している。
【００１１】
このミキサー１は、調理台等の図示しない台に載置される本体２と、この本体２に着脱自在に装着されているミキサーボトル５とを有している。ミキサーボトル５は、その下部に前記本体２の載置台３に着脱自在になっている円筒形状のボトルサポート４と、このボトルサポート４に着脱自在に装着されているボトル本体５ａとを有している。
【００１２】
前記本体２内には駆動源としてのモータ６が内蔵されており、このモータ６の駆動軸７は先端部（図示せず）が前記ボトルサポート４内に延出していると共、先端部に駆動カップリング８が装着されている。前記ボトルサポート４はミキサーボトル５の底部としての底板９を一体的に有していて、その中央部には軸受１０が一体形成されている。
【００１３】
上記軸受１０には、カラー１１を介して従動軸１２が回転自在に装着されており、この従動軸１２の下端部には従動カップリング１４が取り付けられていて、前述した駆動カップリング８に着脱自在に結合されている。
【００１４】
また、従動軸１２の上部側には、後述するアタッチメント１８が着脱自在に装着可能な回転軸１３が固定されている。この回転軸１３は、先端部がやや小さくなるように円錐形状に形成されている。
【００１５】
図２に示すように、前記ボトル本体５ａは下部外周に設けられたネジ部１５によりボトルサポート４に着脱自在に取り付けられており、ボトル本体５ａの内壁面５ｂには複数のリブ１６が一体形成されている。
【００１６】
ミキサーボトル５の上部には、このミキサーボトル５の開口部を開閉するための蓋１７が装着されている。さらに、ミキサーボトル５の内壁面５ｂは、下部側から上方にいくにしたがって次第に内径が大きくなるように傾斜した傾斜内壁面５ｃが形成されている。
【００１７】
上述した回転軸１３に着脱されるアタッチメントの具体例を図４及び図５に示す。このアタッチメントの装着部Ｃ（図２参照）の詳細を図６に示す。
【００１８】
図４及び図５において、アタッチメント１８は支持軸１９の中間部にカッター台２０を一体的に有しており、このカッター台２０の両面にはカッター２１がリベット２４によりそれぞれ固定されている。
【００１９】
上記カッター２１は、カッター台２０の径方向に沿って配置されていて、その両端部にカッター刃２２，２３をそれぞれ有している。そして、アタッチメント１８が前記回転軸１３に取り付けられている状態では、上側のカッター２１のカッター刃２２及びカッター刃２３は、ミキサーボトル５の開口部側（蓋１７側）を向くようにそれぞれ形成されている。
【００２０】
なお、アタッチメント１８は、後述するようにして上下を取り替えて回転軸１３に取り付け可能になっており、この場合上記の下側のカッター２１のカッター刃２２，２３がミキサーボトル５の開口部側にそれぞれ向くようになっている。
【００２１】
さらに、カッター刃２２は、カッター刃２３よりも支持軸１９からの距離が大きい位置にあるように配置されている。これにより、大きさが片寄ることなく均一に氷を破砕することができる。
【００２２】
また、前記支持軸１９におけるカッター台２０の位置は一方の軸端部側にずれていて、支持軸１９は長尺部１９ａと短尺部１９ｂとを有している。そして、図５に示すように支持軸１９の長尺部１９ａ側の端部には第１の取付軸部としての第１の嵌合部２５が形成され、短尺部１９ｂ側の端部には第２の取付軸部としての第２の嵌合部２６が形成されている。
【００２３】
これら第１の嵌合部２５及び第２の嵌合部２６は、前記回転軸１３に着脱自在に嵌合可能となるように円錐形状に形成されている。そして、第１の嵌合部２５及び第２の嵌合部２６の奥側の端部間には穴２７が形成されている。
【００２４】
また、支持軸１９の両端部にはスリット２８がそれぞれ形成されており、このスリット２８の端部側における支持軸１９の外周面に沿って、半円形の係止溝２９がそれぞれ形成されている。この係止溝２９には、図６（ｂ）に示すＣリング３０が装着されている。
【００２５】
図６（ａ）において、前記回転軸１３の下部側の外周面に対向する位置には、リブ３１がそれぞれ形成されている。このリブ３１は、上部に傾斜部３２を有すると共にこの傾斜部３２の下部側には段部３３がそれぞれ形成されている。
【００２６】
アタッチメント１８を構成している支持軸１９の一方（例えば短尺部１９ｂ）を回転軸１３に装着するとき、回転軸１３の上部に一体形成されている突部１３ａが前記穴２７に嵌合すると共に、第２の嵌合部２６が回転軸１３に嵌合する。
【００２７】
支持軸１９の第２の嵌合部２６が回転軸１３に嵌合し終える直前に、支持軸１９のＣリング３０が、リブ３１の傾斜部３２により次第に拡開されて傾斜部３２を乗り越える。
【００２８】
すなわち、Ｃリング３０が傾斜部３２を乗り越えたのち段部３３に落ち込んで、アタッチメント１８の支持軸１９を回転軸１３に係止する。このため、回転軸１３が高速回転しても、アタッチメント１８の支持軸１９が回転軸１３から抜ける現象及びこれによる弊害は防止されている。
【００２９】
回転軸１３に取り付けられている支持軸１９の短尺部１９ｂを回転軸１３から取り外すときには、アタッチメント１８を強めに上方に引き抜くことによりＣリング３０が段部３３から外れ、アタッチメント１８を回転軸１３から取り外すことができる。支持軸１９の他方の長尺部１９ａも、上記短尺部１９ｂと同様にして回転軸１３に着脱することができる。
【００３０】
このように構成された回転軸１３及びアタッチメント１８において、図２に示すように、アタッチメント１８の支持軸１９の短尺部１９ｂ側の第２の嵌合部２６が回転軸１３に装着されている状態から、アタッチメント１８の上下を入れ替えて長尺部１９ａ側の第１の嵌合部２５を回転軸１３に装着することが可能となっている（図３参照）。
【００３１】
そして、図２に示すアタッチメント１８の第２の嵌合部２６が回転軸１３に取り付けられているときのカッター台２０の高さよりも、図３に示す第１の嵌合部２５が回転軸１３に取り付けられているときのカッター台２０高さの方が高くなっている。
【００３２】
アタッチメント１８のカッター台２０の外周部２０ａは、ミキサーボトル５の傾斜内壁面５ｃに対向しているので、アタッチメント１８の上下入れ替えによりカッター台２０の外周部２０ａの高さが異なる。このため、第２の嵌合部２６が回転軸１３に嵌合しているときのカッター台２０の外周部２０ａと傾斜内壁面５ｃ間の間隙Ａ（図２参照）よりも、第１の嵌合部２５が回転軸１３に嵌合しているときのカッター台２０の外周部２０ａと傾斜内壁面５ｃとの間隙Ｂの方が大きくなっている。
【００３３】
この結果、被調理物として材料を例えば氷とすると、アタッチメント１８の回転によりカッター２１により破砕された氷のうち、上記間隙Ａ又は間隙Ｂを通過可能な大きさになった氷がカッター台２０の下方に落下して底板９上の収容されていく。
【００３４】
すなわち、上記第１の嵌合部２５又は第２の嵌合部２６を選択して回転軸１３に取り付けることにより、所望の均一した異なる大きさのクラッシュアイスを得ることができる。また、異なる大きさのクラッシュアイスを得るときに、複数のアタッチメントを使用するのではなく一つのアタッチメントを上下反転して回転軸１３に取り付ければよいため、コストダウンを実現することができる。
【００３５】
［作用］
次に、前述のように構成されたミキサーの作用、例えば、クラッシュアイスの製造作用について説明する。
【００３６】
図１及び図２は、回転軸１３に対してアタッチメント１８の支持軸１９のうち短尺部１９ｂ側の第２の嵌合部２６を装着した場合を示している。ミキサーボトル５内に図示しない氷を入れて蓋１７により蓋をしたのちモータ６を回転させると、アタッチメント１８が回転してカッター台２０上の氷がカッター２１により破砕される。
【００３７】
前記カッター台２０の外周部２０ａとミキサーボトル５の傾斜内壁面５ｃとの間には間隙Ａが形成されている。前述したように、ミキサーボトル５の内径が上方にいくにしたがって広がるように傾斜内壁面５ｃが傾斜しているので、間隙Ａの大きさは、回転軸１３に第２の嵌合部２６を装着したときのカッター台２０外周部２０ａの高さに応じた値を示している。
【００３８】
このため、カッター２１により氷が破砕されると、前記間隙Ａよりも小さくなったクラッシュアイスは、間隙Ａからカッター台２０の下側に落下していく。そして、最終的には所望のサイズに破砕されたクラッシュアイスを底板９上に蓄積することができる。
【００３９】
次に、図３においては、アタッチメント１８の上下を入れ替えるために、支持軸１９の長尺部１９ａ側の第１の嵌合部２５が回転軸１３に装着されている場合を示している。この場合、支持軸１９の長尺部１９ａが短尺部１９ｂよりも長いため、アタッチメント１８のカッター台２０の外周部２０ａは、図２におけるカッター台２０の外周部２０ａの高さよりも上方の高い位置にある。
【００４０】
ここで、ミキサーボトル５の内径は、前述したように上方にいくにしたがって次第に大きくなるように傾斜内壁面５ｃが傾斜しているので、高い位置にあるカッター台２０の外周部２０ａとミキサーボトル５の傾斜内壁面５ｃとの間隙Ｂは前記間隙Ａよりも大きくなっている。
【００４１】
この状態でミキサーボトル５内に氷を入れてアタッチメント１８を回転させることにより氷はカッター２１により破砕される。このとき、破砕されて前記間隙Ｂよりも小さくなったクラッシュアイスは、間隙Ｂを通り抜けて底板９上に落下していく。すなわち、底板９上には、間隙Ｂを通過可能な大きさのクラッシュアイスが蓄積される。
【００４２】
このように、回転軸１３に対して、アタッチメント１８の第１の嵌合部２５又は第２の嵌合部２６を選択して装着させることにより、カッター台２０の外周部２０ａとミキサーボトル５の傾斜内壁面５ｃとの間隙Ａ，Ｂを変更させることができる。
【００４３】
そして、ユーザは選択した間隙Ａ，Ｂに応じた大きさのクラッシュアイスを容易に得ることができる。このようにして得られる種々の大きさのクラッシュアイスは、例えばジュース等に加えられて利用することができる。
なお、図２に示すように回転軸１３にアタッチメント１８の第２の嵌合部２６を取り付けたときには先述したようにカッター台２０は低い位置にあるので、底板９とカッター台２０との間に比較的小さなスペースが形成されている。そして、カッター２１により破砕されて間隙Ａから落下する小さい氷を、上記の比較的小さいスペースに収容することができる。
【００４４】
一方、回転軸１３に対してアタッチメント１８の第１の嵌合部２５を取り付けたときにはカッター台２０は高い位置にあるので、底板９とカッター台２０との間には比較的大きなスペースが形成されている。そして、カッター２１により破砕されて大きい間隙Ｂから落下する大きい氷を、上記の大きいスペースに確実に収容することができる。
【００４５】
また、回転軸１３に対するアタッチメント１８の付け替え時において、支持軸１９の長尺部１９ａ及び短尺部１９ｂは、アタッチメント１８を着脱操作するためのツマミとして利用することができる。
【００４６】
図１〜図３において前述したアタッチメント１８のカッター台２０は、支持軸１９に対して固定した位置にあったが、これを変更可能にすることも可能である。
【００４７】
例えば、支持軸１９とカッター台２０とにネジをそれぞれ形成してカッター台２０を支持軸１９の軸線方向に変位可能にし、カッター台２０の両端部にロックナットを配置して変位したカッター台２０を支持軸１９に固定する方法でもよい。
【００４８】
また、例えば、支持軸１９の外端周面の軸線方向に沿って長溝を形成すると共に、この長溝にカッター台２０の回転方向と逆方向の係止溝を複数設け、カッター台２０に設けられたガイド突起を上記の係止溝に選択的に係止させることで、支持軸１９に対するカッター台２０の取付位置を選択することができる。
【００４９】
このように、支持軸１９に対するカッター台２０の固定位置を複数設けてアタッチメント１８を構成すれば、前記底板９からのカッター台２０の高さが前記実施例のような２種類だけでなく、例えば４種類等に変化させることができる。
【００５０】
これにより、カッター台２０の外周部２０ａとミキサーボトル５の傾斜内壁面５ｃとの間隙（例えば、Ａ，Ｂ）を種々に変化可能となって、クラッシュアイスの大きさの種類を増加させることができてユーザに甚だ便利である。
【図面の簡単な説明】
【００５１】
【図１】本発明に係わるミキサーの一部縦断した正面図である。
【図２】回転軸にアタッチメントの第２の嵌合部を装着した場合のミキサーボトルの縦断正面図である。
【図３】回転軸にアタッチメントの第１の嵌合部を装着した場合のミキサーボトルの縦断正面図である。
【図４】（ａ）はアタッチメントの平面図、（ｂ）はアタッチメントの正面図である。
【図５】アタッチメントの縦断正面図である。
【図６】（ａ）は図２におけるＣ部の拡大図であって、回転軸に対するアタッチメントの支持軸の取り付け部を示す縦断正面図、（ｂ）は支持軸に取り付けられるＣリングの平面図である。
【符号の説明】
【００５２】
１              ミキサー
４              ボトルサポート
５              ミキサーボトル
５ｂ            内壁面
５ｃ            傾斜内壁面
６              モータ（駆動源）
９              底板（ミキサーボトルの底部）
１３            回転軸
１８            アタッチメント
１９            アタッチメントの支軸
２０            カッター台
２１            カッター
２２，２３      カッター刃
２５            第１の嵌合部（第１の取り付け部）
２６            第２の嵌合部（第２の取り付け部）
３０            Ｃリング
３１            Ｃリング用のリブ
【図１】
2005168794.tif 000003
【図２】
2005168794.tif 000004
【図３】
2005168794.tif 000005
【図４】
2005168794.tif 000006
【図５】
2005168794.tif 000007
【図６】
2005168794.tif 000008